(57)【要約】【課題】切刃に達するニックがすくい面に形成され、着座面には逃げ面に開口する溝部が形成された切削インサートにおいて、切削インサートの強度を確保して大きな切削負荷が作用したときでも欠損等の損傷を防ぐ。【解決手段】すくい面２と、着座面３と、逃げ面４とを備え、すくい面２と逃げ面４との交差稜線部には円弧状切刃部５ａ、６ａと直線状切刃部５ｂ、６ｂとを備えた切刃５、６が形成され、すくい面２には、切刃５、６に達して逃げ面４に開口する凹溝状のニック１０が形成され、着座面３には、インサート取付座の底面から突出する凸部に当接可能な壁面を有する溝部８が逃げ面４に開口するように形成され、ニック１０の逃げ面４への開口部は、すくい面２側からの透視図において溝部８の逃げ面４への開口部とは重ならない位置に配置される。【選択図】図１４
2020127992.tif 000002
【特許請求の範囲】
【請求項１】
軸線回りに回転される刃先交換式エンドミルのエンドミル本体の先端部に形成されたインサート取付座に着脱可能に取り付けられる切削インサートであって、
上記エンドミル本体の回転方向に向けられるすくい面と、このすくい面とは反対側を向いて上記インサート取付座の底面に着座される着座面と、これらすくい面と着座面との周囲に延びる逃げ面とを備え、
上記すくい面と上記逃げ面との交差稜線部には、上記すくい面に対向する方向から見た平面視において円弧状に延びる円弧状切刃部と、この円弧状切刃部の少なくとも一端に接するように延びる直線状切刃部とを備えた切刃が形成されており、
上記すくい面には、上記切刃に達して上記逃げ面に開口する凹溝状のニックが形成されるとともに、
上記着座面には、上記インサート取付座の底面から突出する凸部に当接可能な壁面を有する溝部が、上記逃げ面に開口するように形成されていて、
上記ニックの上記逃げ面への開口部は、上記すくい面側からの透視図において、上記溝部の上記逃げ面への開口部とは重ならない位置に配置されていることを特徴とする切削インサート。
【請求項２】
上記溝部の上記逃げ面への開口部は、少なくとも１つの上記ニックよりも上記円弧状切刃部における上記直線状切刃部との接点側に配置されていることを特徴とする請求項１に記載の切削インサート。
【請求項３】
上記溝部は、該溝部が延びる方向の一端側から他端側に向かうに従い溝幅が狭くなる幅狭部を有していることを特徴とする請求項１または請求項２に記載の切削インサート。
【請求項４】
上記ニックは、上記円弧状切刃部のすくい面に形成されるとともに、少なくとも１つの上記溝部の上記逃げ面への開口部は、上記直線状切刃部の逃げ面に開口していることを特徴とする請求項１から請求項３のうちいずれか一項に記載の切削インサート。
【請求項５】
２つの上記切刃が、上記円弧状切刃部と上記直線状切刃部とを上記すくい面の周方向に交互に位置させて形成されていることを特徴とする請求項１から請求項４のうちいずれか一項に記載の切削インサート。
【請求項６】
上記着座面には２つの上記溝部が形成されており、
上記２つの溝部のうち一方は上記２つの切刃の逃げ面の両方に開口する貫通溝であるとともに、他方は１つの切刃の逃げ面だけに開口する止まり溝であることを特徴とする請求項５に記載の切削インサート。
【請求項７】
上記２つの切刃のうち一方は主切刃とされるとともに他方は副切刃とされ、
上記主切刃の円弧状切刃部は、上記副切刃の円弧状切刃部に対して等しい半径で周方向の長さが長く形成されていることを特徴とする請求項５または請求項６に記載の切削インサート。
【請求項８】
上記主切刃の円弧状切刃部は、上記ニックを除いて該主切刃の直線状切刃部から離れるに従い上記着座面側から離れた後に該着座面側に近づく凸曲線状に形成された基本形状を有しており、
上記主切刃の上記ニックは、この主切刃の基本形状における上記円弧状切刃部が上記着座面に対して最も凸となる主切刃最凸点と重ならない位置に配置されていることを特徴とする請求項７に記載の切削インサート。
【請求項９】
上記主切刃の上記ニックは、上記主切刃最凸点よりも、上記円弧状切刃部と上記直線状切刃部との接点とは反対の端部側に配置されていることを特徴とする請求項８に記載の切削インサート。
【請求項１０】
上記主切刃においては、上記平面視に上記円弧状切刃部の中心を通り上記直線状切刃部に平行な回転軸回りの該主切刃の回転軌跡の上記回転軸に沿った断面において、
上記回転軸のうち上記円弧状切刃部の中心から該円弧状切刃部における上記直線状切刃部との接点とは反対の端部側に延びる部分と、上記中心と上記主切刃最凸点とを結ぶ直線とが、４３°〜４７°の範囲内の角度で交差していることを特徴とする請求項８または請求項９に記載の切削インサート。
【請求項１１】
上記副切刃の円弧状切刃部は、上記ニックを除いて該副切刃の直線状切刃部から離れるに従い上記着座面側から離れた後に該着座面側に近づく凸曲線状に形成された基本形状を有しており、
上記副切刃の上記ニックは、この副切刃の基本形状における上記円弧状切刃部が上記着座面に対して最も凸となる副切刃最凸点と重ならない位置に配置されていることを特徴とする請求項７から請求項１０のうちいずれか一項に記載の切削インサート。
【請求項１２】
上記副切刃の上記ニックは、上記副切刃最凸点よりも、該副切刃の上記円弧状切刃部と上記直線状切刃部との接点側に配置されていることを特徴とする請求項１１に記載の切削インサート。
【請求項１３】
上記副切刃の逃げ面に開口する上記溝部は、上記副切刃最凸点よりも、該副切刃の上記円弧状切刃部と上記直線状切刃部との接点側に開口していることを特徴とする請求項１１または請求項１２に記載の切削インサート。
【請求項１４】
上記副切刃の少なくとも１つのニックは、上記副切刃最凸点と、上記副切刃の逃げ面に開口する上記溝部との間に配置されていることを特徴とする請求項１１から請求項１３のうちいずれか一項に記載の切削インサート。
【請求項１５】
上記副切刃においては、上記平面視に上記円弧状切刃部の中心を通り上記直線状切刃部に平行な回転軸回りの該副切刃の回転軌跡の上記回転軸に沿った断面において、
上記回転軸のうち上記円弧状切刃部の中心から該円弧状切刃部における上記直線状切刃部との接点とは反対の端部側に延びる部分と、上記中心と上記副切刃最凸点とを結ぶ直線とが、４３°〜４７°の範囲内の角度で交差していることを特徴とする請求項１１から請求項１４のうちいずれか一項に記載の切削インサート。
【請求項１６】
上記切刃は、上記円弧状切刃部の他端に接して延びる他の直線状切刃部を備えていることを特徴とする請求項１から請求項４のうちいずれか一項に記載の切削インサート。
【請求項１７】
２つの上記切刃が、上記他の直線状切刃部と上記円弧状切刃部と上記直線状切刃部とを上記すくい面の周方向に順に位置させて形成されていることを特徴とする請求項１６に記載の切削インサート。
【請求項１８】
上記着座面には２つの上記溝部が形成されており、
上記２つの溝部のうち一方は上記２つの切刃の逃げ面の両方に開口する貫通溝であるとともに、他方は１つの切刃の逃げ面だけに開口する止まり溝であることを特徴とする請求項１７に記載の切削インサート。
【請求項１９】
請求項１から請求項１８のうちのいずれか一項に記載の切削インサートが、軸線回りに回転されるエンドミル本体の先端部に形成されたインサート取付座に、このインサート取付座の底面から突出する凸部に上記溝部の壁面を当接させて着脱可能に取り付けられていることを特徴とする刃先交換式エンドミル。
【請求項２０】
軸線回りに回転される刃先交換式エンドミルのエンドミル本体であって、
先端部に形成されたインサート取付座に、請求項１から請求項１８のうちのいずれか一項に記載の切削インサートが着脱可能に取り付けられ、
上記インサート取付座の底面には、上記溝部の壁面が当接させられる凸部が突出していることを特徴とするエンドミル本体。
【発明の詳細な説明】
【技術分野】
【０００１】
本発明は、軸線回りに回転される刃先交換式エンドミルのエンドミル本体の先端部に形成されたインサート取付座に着脱可能に取り付けられる切削インサート、このような切削インサートがエンドミル本体のインサート取付座に着脱可能に取り付けられた刃先交換式エンドミル、およびこのような刃先交換式エンドミルのエンドミル本体に関するものである。
【背景技術】
【０００２】
このような刃先交換式エンドミルに取り付けられる切削インサートとして、例えば特許文献１、２には、刃先交換式ボールエンドミルの切削インサートであって、エンドミル本体の回転方向に向けられるすくい面と、このすくい面とは反対側を向いてインサート取付座の底面に着座される着座面と、これらすくい面と着座面との周囲に延びる逃げ面とを備えて、すくい面と逃げ面との交差稜線部には、すくい面に対向する方向から見た平面視において円弧状に延びる円弧状切刃部と、この円弧状切刃部に接するように延びる直線状切刃部とをそれぞれ備えた２つの切刃が、円弧状切刃部と直線状切刃部をすくい面の周方向に交互に位置させて形成されたものが記載されている。
【０００３】
また、これら特許文献１、２には、切削抵抗を低減するとともに切屑を分断するため、上記すくい面に、上記切刃に達して上記逃げ面に開口する凹溝状のニックを形成したものも記載されている。さらに、これら特許文献１、２に記載された切削インサートの着座面には、上記逃げ面に開口する溝部が形成されており、このような溝部は、インサート取付座の底面から突出する凸部に当接可能とされて、インサート取付座における切削インサートの取付安定性を確保する。
【先行技術文献】
【特許文献】
【０００４】
【特許文献１】特許第４７７１５４７号公報
【特許文献２】米国特許第７３０９１９３号明細書
【発明の概要】
【発明が解決しようとする課題】
【０００５】
しかしながら、このように切刃に達する凹溝状のニックがすくい面に形成されるとともに、着座面には逃げ面に開口する溝部が形成された切削インサートでは、切刃が延びる方向においてニックの逃げ面への開口部が溝部の逃げ面への開口部と重なっていると、ニックと溝部との間の部分において逃げ面における切削インサートの厚さが小さくなって強度が低下してしまう。このため、切削加工時に大きな切削負荷が作用したときには、この強度が低下したニックと溝部との間の部分において切削インサートに欠損等の損傷が発生するおそれがある。
【０００６】
本発明は、このような背景の下になされたもので、切刃に達するニックがすくい面に形成されるとともに、着座面には逃げ面に開口する溝部が形成された切削インサートにおいて、切削インサートの強度を確保して大きな切削負荷が作用したときでも欠損等の損傷を防ぐことが可能な切削インサートを提供するとともに、このような切削インサートが着脱可能に取り付けられた刃先交換式ボールエンドミル、およびこのような刃先交換式ボールエンドミルのエンドミル本体を提供することを目的としている。
【課題を解決するための手段】
【０００７】
上記課題を解決して、このような目的を達成するために、本発明の切削インサートは、軸線回りに回転される刃先交換式エンドミルのエンドミル本体の先端部に形成されたインサート取付座に着脱可能に取り付けられる切削インサートであって、上記エンドミル本体の回転方向に向けられるすくい面と、このすくい面とは反対側を向いて上記インサート取付座の底面に着座される着座面と、これらすくい面と着座面との周囲に延びる逃げ面とを備え、上記すくい面と上記逃げ面との交差稜線部には、上記すくい面に対向する方向から見た平面視において円弧状に延びる円弧状切刃部と、この円弧状切刃部の少なくとも一端に接するように延びる直線状切刃部とを備えた切刃が形成されており、上記すくい面には、上記切刃に達して上記逃げ面に開口する凹溝状のニックが形成されるとともに、上記着座面には、上記インサート取付座の底面から突出する凸部に当接可能な壁面を有する溝部が、上記逃げ面に開口するように形成されていて、上記ニックの上記逃げ面への開口部は、上記すくい面側からの透視図において、上記溝部の上記逃げ面への開口部とは重ならない位置に配置されていることを特徴とする。
【０００８】
また、本発明の刃先交換式エンドミルは、このように構成された切削インサートが、軸線回りに回転されるエンドミル本体の先端部に形成されたインサート取付座に、このインサート取付座の底面から突出する凸部に上記溝部の壁面を当接させて着脱可能に取り付けられていることを特徴とする。さらに、本発明のエンドミル本体は、軸線回りに回転される刃先交換式エンドミルのエンドミル本体であって、先端部に形成されたインサート取付座に、上述のように構成された切削インサートが着脱可能に取り付けられ、上記インサート取付座の底面には、上記溝部の壁面が当接させられる凸部が突出していることを特徴とする。
【０００９】
このような構成の切削インサートおよび刃先交換式エンドミルでは、切削インサートにおいて、すくい面に形成されたニックが、すくい面側からの透視図において、着座面に形成された溝部の逃げ面への開口部とは重ならない位置に配置されており、切刃が延びる方向において、この溝部の逃げ面への開口部とニックの逃げ面への開口部との間に、逃げ面における切削インサートの厚さが小さくなる部分が形成されるのを避けることができる。
【００１０】
このため、ニックと着座面との間およびすくい面と溝部との間においても、切削インサートの肉厚を確保して強度を維持することができる。従って、これにより、切削加工時に切削インサートに大きな切削負荷が作用しても、切削インサートに欠損等の損傷が生じるのを防止することが可能となる。
【００１１】
ここで、上記溝部の上記逃げ面への開口部は、少なくとも１つの上記ニックよりも上記円弧状切刃部における上記直線状切刃部との接点側に配置されているのが望ましい。これにより、円弧状切刃部と直線状切刃部との接点とは反対側に配置されたニックによって分断された切屑が、溝部の逃げ面への開口部に引っ掛かって詰まりを生じたり、被削材の加工面を傷付けたりするような事態を防止することができる。
【００１２】
また、上記溝部は、該溝部が延びる方向の一端側から他端側に向かうに従い溝幅が狭くなる幅狭部を有していることが望ましい。これにより、幅狭部の溝幅が狭くなる溝部の他端側においては切削インサートの肉厚を確保して応力を分散し、強度の向上を図ることができる。
【００１３】
一方、逆に幅狭部の一端側では溝幅が広くなるので、刃先交換式エンドミルおよびエンドミル本体において、上記凸部を、上記溝部の上記幅狭部が当接する部分で、該溝部が延びる方向の上記他端側から上記一端側に向かうに従い幅広となるように形成することにより、切削加工時の負荷に対する取付剛性を高めて切削インサートのずれ動きを確実に防止することが可能となる。
【００１４】
さらに、上記ニックは、上記円弧状切刃部のすくい面に形成されるとともに、少なくとも１つの上記溝部の上記逃げ面への開口部は、上記直線状切刃部の逃げ面に開口していてもよい。これにより、ニックと溝部との逃げ面への開口部の切刃が延びる方向の間隔を大きくすることができ、ニックと溝部との間での切削インサートの損傷をさらに確実に防止することができる。
【００１５】
さらにまた、２つの上記切刃が、上記円弧状切刃部と上記直線状切刃部とを上記すくい面の周方向に交互に位置させて形成されていて、特許文献１、２に記載されたような刃先交換式ボールエンドミルの切削インサートとされていてもよい。この場合には、上記着座面には２つの上記溝部が形成されており、上記２つの溝部のうち一方は上記２つの切刃の逃げ面の両方に開口する貫通溝であるとともに、他方は１つの切刃の逃げ面だけに開口する止まり溝でとされていてもよく、これにより１つの溝部だけが逃げ面に開口する切刃においては、ニックとの間での切削インサートの損傷を一層確実に防止することが可能となる。
【００１６】
また、このように２つの上記切刃が円弧状切刃部と直線状切刃部とをすくい面の周方向に交互に位置させて形成されて、刃先交換式ボールエンドミルの切削インサートとされている場合には、これら２つの切刃のうち一方は主切刃とされるとともに他方は副切刃とされ、上記主切刃の円弧状切刃部は、上記副切刃の円弧状切刃部に対して等しい半径で周方向の長さが長く形成されていてもよい。
【００１７】
この場合には、刃先交換式ボールエンドミルのエンドミル本体において２つのインサート取付座を形成し、同形同大の２つの切削インサートを、一方は主切刃がエンドミル本体の先端内周の軸線近傍から後端外周側に延びるように、他方は副切刃がエンドミル本体の先端内周の軸線から離れた位置から後端外周側に延びるように、互いの円弧状切刃部の回転軌跡が軸線上に中心を有する１つの半球となるように取り付けることにより、１種類の切削インサートで切削加工を行うことができる。
【００１８】
さらに、この場合には、上記主切刃の円弧状切刃部は、上記ニックを除いて該主切刃の直線状切刃部から離れるに従い上記着座面側から離れた後に該着座面側に近づく凸曲線状に形成された基本形状を有するように形成することにより、主切刃の円弧状切刃部は、上記基本形状における円弧状切刃部が上記着座面に対して最も凸となる主切刃最凸点から徐々に被削材に切り込まれるので、切削抵抗の低減を図ることができる。
【００１９】
そして、この場合には、上記主切刃のニックを、この主切刃最凸点と重ならない位置に形成することにより、ニックの端部から主切刃の円弧状切刃部が被削材に切り込まれることがなくなるので、このようなニックの端部から主切刃に欠損等の損傷が生じるのも防止することができる。
【００２０】
また、このように主切刃のニックを主切刃最凸点とは異なる位置に形成する場合には、上記主切刃の少なくとも１つのニックは、上記主切刃最凸点よりも、上記円弧状切刃部と上記直線状切刃部との接点とは反対の端部側に配置されていることが望ましい。これにより、主切刃最凸点から被削材に切り込まれて生成される切屑が伸延する前や、幅広となる前に分断することができ、確実な切削抵抗の低減を図ることができる。
【００２１】
さらに、上記主切刃においては、上記平面視に上記円弧状切刃部の中心を通り上記直線状切刃部に平行な回転軸回りの該主切刃の回転軌跡の上記回転軸に沿った断面において、上記回転軸のうち上記円弧状切刃部の中心から該円弧状切刃部における上記直線状切刃部との接点とは反対の端部側に延びる部分と、上記中心と上記主切刃最凸点とを結ぶ直線とが、４３°〜４７°の範囲内の角度で交差していることが望ましい。
【００２２】
この角度が４７°を上回る範囲にあったり、４３°を下回る範囲にあったりすると、主切刃最凸点が円弧状切刃部における直線状切刃部との接点側、あるいはこの接点とは反対の端部側に位置しすぎてしまい、主切刃の円弧状切刃部が刃先交換式ボールエンドミルの後端外周側や先端内周側から被削材に切り込まれることになって、切削抵抗を十分に低減することができなくなるおそれがある。
【００２３】
一方、上記と同様に、上記２つの切刃のうち一方は主切刃とされるとともに他方は副切刃とされ、上記主切刃の円弧状切刃部は、上記副切刃の円弧状切刃部に対して等しい半径で周方向の長さが長く形成されている場合に、上記副切刃の円弧状切刃部も、上記ニックを除いて該副切刃の直線状切刃部から離れるに従い上記着座面側から離れた後に着座面側に近づく凸曲線状に形成された基本形状を有することにより、副切刃の円弧状切刃部も、この基本形状において着座面に対して最も凸となる副切刃最凸点から被削材に切り込まれることになり、切削抵抗の低減を図ることができる。
【００２４】
そして、この場合にも、上記副切刃のニックを、上記逃げ面への開口部において上記着座面側に最も凹んだ位置を、この副切刃の基本形状における円弧状切刃部が上記着座面に対して最も凸となる副切刃最凸点とは重ならない位置に配置することにより、ニックの端部から副切刃の円弧状切刃部が被削材に切り込まれるのを避けることができるので、このようなニックの端部からの副切刃の欠損等も防止することが容易となる。
【００２５】
なお、このような副切刃のニックは、主切刃の円弧状切刃部のニックとは逆に、上記副切刃最凸点よりも、該副切刃の上記円弧状切刃部と上記直線状切刃部との接点側に配置されていることが望ましい。すなわち、副切刃の円弧状切刃部は主切刃の円弧状切刃部よりも周方向の長さが短いので、こうして副切刃のニックの着座面側に最も凹んだ位置を副切刃の円弧状切刃部と直線状切刃部との接点側に配置することにより、副切刃の円弧状切刃部によって生成される切屑を略等しい幅に分断することや、長さの短い切屑に分断することが可能となる。
【００２６】
また、上記副切刃の逃げ面に開口する上記溝部は、上記副切刃最凸点よりも、該副切刃の上記円弧状切刃部と上記直線状切刃部との接点側に開口していることが望ましい。これにより、副切刃最凸点から副切刃が被削材に切り込まれる際に、この副切刃最凸部とは反対側の着座面が、副切刃の逃げ面に開口する溝部によってインサート取付座に支持されなくなるのを防ぐことができ、副切刃の円弧状切刃部における副切刃最凸点の支持剛性を向上させることができる。
【００２７】
さらに、上記副切刃の少なくとも１つのニックは、上記副切刃最凸点と、上記副切刃の逃げ面に開口する上記溝部との間に配置されていることが望ましい。これにより、副切刃最凸点から被削材に切り込まれて生成された切屑を上記溝部との間のニックによって分断することができ、溝部が開口していることによってインサート取付座に支持されていない部分の副切刃に作用する切削負荷を軽減することができる。
【００２８】
さらにまた、上記副切刃においても、上記平面視に上記円弧状切刃部の中心を通り上記直線状切刃部に平行な回転軸回りの該副切刃の回転軌跡の上記回転軸に沿った断面において、上記回転軸のうち上記円弧状切刃部の中心から該円弧状切刃部における上記直線状切刃部との接点とは反対の端部側に延びる部分と、上記中心と上記副切刃最凸点とを結ぶ直線とが、４３°〜４７°の範囲内の角度で交差していることが望ましい。
【００２９】
この角度が４７°を上回る範囲にあったり、４３°を下回る範囲にあったりすると、副切刃最凸点が円弧状切刃部における直線状切刃部との接点側、あるいはこの接点とは反対の端部側に位置しすぎてしまい、副切刃の円弧状切刃部が刃先交換式ボールエンドミルの後端外周側や先端内周側から被削材に切り込まれることになって、切削抵抗を十分に低減することができなくなるおそれがある。
【００３０】
また、本発明の切削インサートは、上述のような刃先交換式ボールエンドミルの切削インサートではなく、上記切刃が、上記円弧状切刃部の他端に接して延びる他の直線状切刃部を備えていて、この他の直線状切刃部が刃先交換式エンドミルの底刃となる刃先交換式ラジアスエンドミルの切削インサートとされていてもよい。
【００３１】
この場合には、２つの上記切刃を、上記他の直線状切刃部と上記円弧状切刃部と上記直線状切刃部とを上記すくい面の周方向に順に位置させて形成することにより、１つの切削インサートで２回の切刃の使用を可能とすることができる。また、こうして２つの切り刃を形成した場合には、上記着座面には２つの上記溝部を形成して、これら２つの溝部のうち一方は上記２つの切刃の逃げ面の両方に開口する貫通溝とするとともに、他方は１つの切刃の逃げ面だけに開口する止まり溝としてもよい。
【発明の効果】
【００３２】
以上、説明したように、本発明によれば、切刃が延びる方向において、溝部の逃げ面への開口部とニックの逃げ面への開口部との間に、切削インサートの厚さが小さくなる部分が形成されるのを避けることができ、ニックと着座面との間およびすくい面と溝部との間に切削インサートの肉厚を確保して強度を維持することができるので、切削加工時に切削インサートに大きな切削負荷が作用しても、欠損等の損傷が生じるのを防止することが可能となる。
【図面の簡単な説明】
【００３３】
【図１】本発明の切削インサートの第１の実施形態を示す斜視図である。
【図２】図１に示す実施形態のすくい面に対向する方向から見た平面図である。
【図３】図１に示す実施形態の着座面に対向する方向から見た底面図である。
【図４】図２における矢線Ａ方向視の側面図である。
【図５】図２における矢線Ｂ方向視の側面図である。
【図６】図２における矢線Ｃ方向視の側面図である。
【図７】図２における矢線Ｄ方向視の側面図である。
【図８】図２における矢線Ｅ方向視の側面図である。
【図９】図１〜図８に示した実施形態の切削インサートを２つのインサート取付座にそれぞれ取り付けた本発明の刃先交換式エンドミル（刃先交換式ボールエンドミル）およびエンドミル本体の第１の実施形態を示すエンドミル本体先端部の斜視図である。
【図１０】図９に示す実施形態の正面図である。
【図１１】図１０における矢線Ａ方向視の底面図である。
【図１２】図１０における矢線Ｂ方向視の側面図である。
【図１３】図９〜図１２に示した実施形態の刃先交換式エンドミルにおける２つの切削インサートの位置関係を示す斜視図である。
【図１４】図１３に位置関係を示した２つの切削インサートを、主切刃が切削に使用される第１の切削インサート（図１３における右側の切削インサート）のすくい面に対向する方向から見た透視図である。
【図１５】本発明の切削インサートの第２の実施形態を示す、すくい面に対向する方向から見た平面図である。
【図１６】図１５に示す実施形態の着座面に対向する方向から見た底面図である。
【図１７】図１５における矢線Ａ方向視の側面図である。
【図１８】図１５における矢線Ｂ方向視の側面図である。
【図１９】図１５における矢線Ｃ方向視の側面図である。
【図２０】図１５における矢線Ｄ方向視の側面図である。
【図２１】図１５〜図２０に示した実施形態の切削インサートを２つのインサート取付座にそれぞれ取り付けた本発明の刃先交換式エンドミル（刃先交換式ラジアスエンドミル）およびエンドミル本体の第２の実施形態を示す斜視図である。
【図２２】図２１に示す実施形態の正面図である。
【図２３】図２２における矢線Ａ方向視の平面図である。
【図２４】図２２における矢線Ｂ方向視の側面図である。
【図２５】図２２における矢線Ｃ方向視の側面図である。
【図２６】図２１〜図２５に示した実施形態の刃先交換式エンドミルにおける２つの切削インサートの位置関係を示す斜視図である。
【図２７】図２６に位置関係を示した２つの切削インサートを、図２６における右側の切削インサートのすくい面に対向する方向から見た透視図である。
【図２８】図１５〜図２０に示した第２の実施形態の変形例を示す、着座面に対向する方向から見た底面図である。
【図２９】図２８に示した変形例の切削インサートを刃先交換式エンドミル（刃先交換式ラジアスエンドミル）のエンドミル本体に取り付けた場合における２つの切削インサートの位置関係を示す斜視図である。
【発明を実施するための形態】
【００３４】
図１〜図８は、本発明の切削インサートの第１の実施形態を示すものであり、図９〜図１１は、この第１の実施形態の切削インサートを２つ、インサート取付座に取り付けた本発明の刃先交換式エンドミルの第１の実施形態である刃先交換式ボールエンドミルおよびエンドミル本体の第１の実施形態を示すものであり、図１２および図１３は、この第１の実施形態の刃先交換式エンドミルにおける２つの切削インサートの位置関係を示すものである。
【００３５】
本実施形態の切削インサート１は、超硬合金等の硬質材料により形成されて、図２に示すように平面視において木の葉形の板状に形成されている。この切削インサート１の上面が上述のような木の葉形のすくい面２とされる。また、このすくい面２とは反対側を向く下面はすくい面２と略相似形に形成された木の葉形で上記インサート取付座の底面に着座される平坦な着座面３とされ、これらすくい面２と着座面３との間において周囲に延びる側面は逃げ面４とされている。
【００３６】
すくい面２と逃げ面４との交差稜線部には、すくい面２に対向する方向から見た平面視において図２に示すように円弧状に延びる円弧状切刃部５ａ、６ａと、この円弧状切刃部５ａ、６ａに接するように延びる直線状切刃部５ｂ、６ｂとをそれぞれ備えた２つの切刃が、これら円弧状切刃部５ａ、６ａと直線状切刃部５ｂ、６ｂをすくい面２の周方向に交互に位置させて形成されている。これら２つの切刃のうち一方の第１の切刃は主切刃５とされ、他方の第２の切刃は副切刃６とされる。
【００３７】
また、逃げ面４は、すくい面２から着座面３側に向かうに従い切削インサート１の内周側に向かうように傾斜しており、本実施形態の切削インサート１はポジティブタイプの切削インサートとされている。さらに、すくい面２と着座面３の中央部には、切削インサート１を貫通するように形成された断面円形の取付孔７が開口しており、この取付孔７のすくい面２側は着座面３側に向かうに従い縮径するように形成されている。
【００３８】
ここで、すくい面２に対向する上記平面視において、主切刃５の円弧状切刃部５ａは略１／４円弧状をなしている。これに対して、副切刃６の円弧状切刃部６ａは、主切刃５の円弧状切刃部５ａと等しい半径で、ただし周方向の長さは主切刃５の円弧状切刃部５ａよりも短くされており、すなわち１／４円弧よりも短い円弧状に形成されている。また、これに伴って、主切刃５の直線状切刃部５ｂは、逆に副切刃６の直線状切刃部６ｂよりも短くされている。すなわち、本実施形態の切削インサート１は、取付孔７の中心線回りに１８０°回転対称とはされておらず、非対称とされている。
【００３９】
なお、これら主切刃５と副切刃６の直線状切刃部５ｂ、６ｂは、上記平面視において主切刃５の円弧状切刃部５ａと副切刃６の直線状切刃部６ｂとが交差するすくい面２の第１の端部２ａから主切刃５の直線状切刃部５ｂと副切刃６の円弧状切刃部６ａとが交差するすくい面２の第２の端部２ｂに向かうに従い互いに近づくように延びている。また、これら第１、第２の端部２ａ、２ｂは、主切刃５と副切刃６の円弧状切刃部５ａ、６ａと直線状切刃部５ｂ、６ｂとに鈍角に交差する面取り状に形成されている。なお、第１の端部２ａは、第２の端部２ｂよりも着座面３の近くに位置している。
【００４０】
さらに、これら主切刃５と副切刃６の円弧状切刃部５ａ、６ａは、後述するニックを除いて、それぞれの直線状切刃部５ｂ、６ｂから離れるに従い上記着座面３側から離れた後に該着座面３側に近づく凸曲線状の基本形状有するように形成されており、これらの円弧状切刃部５ａ、６ａがなす凸曲線が着座面３に対して最も離れて凸となる点（着座面３から最も突出した最突点）が、それぞれ主切刃最凸点Ｓ５および副切刃最凸点Ｓ６となる。なお、主切刃５と副切刃６の直線状切刃部５ｂ、６ｂは、逃げ面４に対向する方向から見た側面視においても、図４および図６に示すように円弧状切刃部５ａ、６ａがなす凸曲線に接して、円弧状切刃部５ａ、６ａから離れるに従い着座面３側に近づく略直線状に延びている。
【００４１】
ここで、上記主切刃５においては、上記平面視に円弧状切刃部５ａの中心Ｐを通り、直線状切刃部５ｂに平行な回転軸（後述するエンドミル本体１１の軸線Ｏ）回りの主切刃５の回転軌跡の上記回転軸に沿った断面において、図１４の右側に示すように、上記回転軸のうち円弧状切刃部５ａの中心Ｐから円弧状切刃部５ａにおける直線状切刃部５ｂとの接点Ｑ５とは反対の端部側（第１の端部２ａ側。刃先交換式エンドミルにおいては、後述するエンドミル本体１１の先端側）に延びる部分と、中心Ｐと主切刃最凸点Ｓ５とを結ぶ直線Ｌ５とが、４３°〜４７°の範囲内の角度θ５で交差している。本実施形態では、この角度θ５は４５°とされている。
【００４２】
また、上記副切刃６においても、図１４の左側に示すように（ただし、図４の左側の図は着座面３側から見た底面図である。）、上記平面視に主切刃５の円弧状切刃部５ａの中心Ｐと一致する円弧状切刃部６ａの中心Ｐを通り、直線状切刃部６ｂに平行な回転軸（同じく、後述するエンドミル本体１１の軸線Ｏ）回りの副切刃６の回転軌跡の上記回転軸に沿った断面において、上記回転軸のうち円弧状切刃部６ａの中心Ｐから円弧状切刃部６ａにおける直線状切刃部６ｂとの接点Ｑ６とは反対の端部側（第２の端部２ｂ側。同じく、刃先交換式エンドミルにおいては、後述するエンドミル本体１１の先端側）に延びる部分と、中心Ｐと副切刃最凸点Ｓ６とを結ぶ直線Ｌ６とが、４３°〜４７°の範囲内の角度θ６で交差している。本実施形態では、この角度θ６も４５°とされている。
【００４３】
また、すくい面２の中央部における上記取付孔７の開口部の周辺には、主切刃５や副切刃６よりも着座面３から離れる方向に突出した上記平面視に略楕円状をなす突部２ｃが形成されている。この突部２ｃの上端面は着座面３と平行な平坦面とされていて、取付孔７はこの突部２ｃの上端面に開口している。さらに、この突部２ｃの外周面は上記上端面側に向かうに従いすくい面２の内側に向かうように傾斜している。また、すくい面２は、主切刃５および副切刃６から離れて該すくい面２の内側に向かうに従い着座面３側に延びた後に凹曲面状をなして突部２ｃの上記外周面に連なっている。
【００４４】
さらにまた、主切刃５と副切刃６の直線状切刃部５ｂ、６ｂに連なる逃げ面４は、上述のように傾斜する平面状に形成されている。一方、主切刃５と副切刃６の円弧状切刃部５ａ、６ａに連なる逃げ面４は、すくい面２側ではこれら円弧状切刃部５ａ、６ａに沿って切削インサート１の周方向に湾曲しており、ただし主切刃５の円弧状切刃部５ａの逃げ面４の着座面３側には、図３および図５、図６に示すように平面状に傾斜した平面部４ａが形成されている。
【００４５】
図３に示すように、上記着座面３には溝部８が形成されている。ここで、本実施形態では、着座面３に垂直に対向する方向から見た底面視において、図３に示すように、第１、第２の２つの溝部８Ａ、８Ｂが、着座面３における取付孔７の開口部と間隔をあけて、この開口部を間にして互いに反対側に形成されている。第１の溝部８Ａは取付孔７の開口部よりもすくい面２の第１の端部２ａ側に形成され、第２の溝部８Ｂはすくい面２の第２の端部２ｂ側に形成されている。
【００４６】
これらの溝部８は、該溝部８が延びる方向に直交する断面が、取付孔７が延びる方向に偏平した略長方形状に形成されており、すなわち着座面３に略垂直な方向に延びて互いに対向する第１、第２の２つの壁面８ａ、８ｂと、これら第１、第２の壁面８ａ、８ｂの間に延びる着座面３に平行な底面８ｃとを備えている。各溝部８の第１の壁面８ａはすくい面２の第１の端部２ａ側を向いており、第２の壁面８ｂはすくい面２の第２の端部２ｂ側を向いている。なお、第１、第２の壁面８ａ、８ｂと着座面３との交差稜線部は凸曲面によって面取りされ、第１、第２の壁面８ａ、８ｂと底面８ｃとが交差する隅角部は凹曲面状に形成されている。
【００４７】
また、上記第１の溝部８Ａは、副切刃６の直線状切刃部６ｂに連なる逃げ面４に開口するとともに、主切刃５の円弧状切刃部５ａに連なる逃げ面４には開口しない止まり溝状に形成されている。この第１の溝部８Ａにおける主切刃５の円弧状切刃部５ａ側の端部は、上記底面８ｃから凹曲面をなすようにして着座面３に連なっている。さらに、この第１の溝部８Ａでは、第１、第２の壁面８ａ、８ｂは上記底面視において互いに平行に延びており、すなわち第１の溝部８Ａの溝幅は一定であって、第１の溝部８Ａにおける主切刃５の円弧状切刃部５ａ側の上記端部は、これら第１、第２の壁面８ａ、８ｂに直交するように延びていて、第１の溝部８Ａは着座面３に対向する方向から見て概略台形状に形成されている。
【００４８】
一方、第２の溝部８Ｂは、本実施形態では主切刃５の直線状切刃部５ｂに連なる逃げ面４と副切刃６の円弧状切刃部６ａに連なる逃げ面４との双方に開口する貫通溝状に形成されている。本実施形態では、この第２の溝部８Ｂは、第２の溝部８Ｂが延びる方向の一端側から他端側に向けて溝幅が狭くなる幅狭部９を有している。ここで、本実施形態では、主切刃５の直線状切刃部５ｂに連なる逃げ面４側が第２の溝部８Ｂの一端側とされるとともに、副切刃６の円弧状切刃部６ａに連なる逃げ面４側が他端側とされている。
【００４９】
また、図３に示すように、本実施形態では第２の溝部８Ｂの全体が、この幅狭部９とされている。この幅狭部９は、本実施形態では溝幅が狭くなる割合が第２の溝部８Ｂの一端側から他端側に向けて一定とされている。すなわち、第２の溝部８Ｂの第１、第２の壁面８ａ、８ｂは、上記底面視において一端側から他端側に向かうに従い直線状をなして互いに接近するように形成されている。
【００５０】
さらに、上記副切刃６の円弧状切刃部６ａに連なる逃げ面４への第２の溝部８Ｂの開口部は、上記副切刃最凸点Ｓ６よりも副切刃６の直線状切刃部６ｂ側に位置している。具体的には、上記底面視において、上記副切刃最凸点Ｓ６と副切刃６の円弧状切刃部６ａがなす円弧の中心Ｐとを結ぶ上記直線Ｌ６と、副切刃６の直線状切刃部６ｂ側を向く第２の溝部８Ｂの第１の壁面８ａと逃げ面４との交差稜線部（面取り部分を除く）の着座面３側への端部と上記中心Ｐとを結ぶ直線（図示略）とがなす第１の交差角が５°〜６０°の範囲とされている。
【００５１】
なお、上記幅狭部９の他端（本実施形態では第２の溝部８Ｂの他端）における溝幅Ｗ１（図示略）は、この幅狭部９を有する溝部（第２の溝部８Ｂ）の他端側に位置する円弧状切刃部（副切刃６の円弧状切刃部６ａ）の着座面３側から見た半径ｒ（図示略）に対して０．０５×ｒ〜０．１８×ｒの範囲とされ、例えば１ｍｍ〜７ｍｍの範囲とされている。ただし、円弧状切刃部６ａの着座面３側から見た形状が円弧からずれた形状になっている場合は、そのずれた形状に対して最も近接した円弧を仮想的に描いて、この仮想の円弧から半径ｒを求めることにする。
【００５２】
これに対して、幅狭部９の一端における溝幅Ｗ２（図示略）は、Ｗ２＞Ｗ１で、幅狭部９を有する溝部（第２の溝部８Ｂ）の他端側に位置する円弧状切刃部（副切刃６の円弧状切刃部６ａ）の着座面３側から見た底面視、またはすくい面２側から見た平面視の半径ｒに対して０．１０×ｒ〜０．３０×ｒの範囲で、主切刃５の直線状切刃部５ｂの上記平面視または底面視における長さＲ（図示略）に対しては０．１０×Ｒ〜０．３２×Ｒの範囲とされている。
【００５３】
なお、これらの溝幅Ｗ１、Ｗ２は、第１、第２の壁面８ａ、８ｂが着座面３に対向する方向から見た底面視において直線状に延びている場合は、これら第１、第２の壁面８ａ、８ｂがなす直線の二等分線に垂直な方向の幅であり、一方の溝壁面（例えば、第１の壁面８ａ）が曲線状であって、他方の溝壁面（例えば、第２の壁面８ｂ）が直線状である場合は、直線状の溝壁面に垂直な方向の幅である。
【００５４】
そして、このような切削インサート１において、上記すくい面２には、上記切刃に達して逃げ面４に開口する凹溝状のニック１０が形成されており、このニック１０は、逃げ面４への開口部が、すくい面２側からの透視図において図１４に示すように、上記溝部８の逃げ面４への開口部とは重ならない位置に配置されている。
【００５５】
本実施形態おいてニック１０は、逃げ面４に対向する方向から見てすくい面２を凹円弧等の凹曲線状に切り欠くようにして凹溝状に形成されたものであり、着座面３との間隔はすくい面２の内側に向かうに従い漸次大きくなるようにされて、突部２ｃの上端面に至る手前ですくい面２から切れ上がるように形成されている。このニック１０の着座面３側に最も凹んだ上記位置Ｍを通り、すくい面２の内側に向けて着座面３との間隔が小さい部分を繋いだ谷底線は、すくい面２に対向する平面視において切刃に略直交するように延びている。なお、ニック１０とすくい面２との境界部は、逃げ面４への開口部に亙って凸曲面状に丸められている。
【００５６】
また、本実施形態では、１つの切刃（主切刃５および副切刃６）について複数（２つ）ずつのニック１０が間隔をあけて形成されている。このうち、主切刃５の２つのニック１０は、いずれも円弧状切刃部５ａに達するように形成されており、副切刃６のニック１０は、１つが円弧状切刃部６ａに達するとともに、残りの１つは直線状切刃部６ｂに達するように形成されている。さらに、これらのニック１０は、逃げ面４への開口部全体が、すくい面２側からの透視図において図１４に示したように、溝部８の逃げ面４への開口部と重なり合わないように形成されている。
【００５７】
これらのニック１０は、２つの切削インサート１を、互いの主切刃５と副切刃６の円弧状切刃部５ａ、６ａの中心Ｐを一致させるとともに、これらの円弧状切刃部５ａ、６ａと直線状切刃部５ｂ、６ｂを重ね合わせて見た場合に、重ね合わされた一方の切削インサート１の主切刃５に達するニック１０と他方の切削インサート１の副切刃６に達するニック１０とが、互いに重なり合わずに、ニック１０の間に延びる切刃と重なり合うように形成されている。
【００５８】
さらに、本実施形態では、主切刃５においては、すくい面２側からの透視図において、ニック１０は、逃げ面４への開口部が、溝部８の開口部よりも、円弧状切刃部５ａにおける直線状切刃部５ｂとの接点Ｑ５とは反対の上記第１の端部２ａ側に配置されている。特に、本実施形態では上述のように、主切刃５において、直線状切刃部５ｂの逃げ面４だけに溝部８（第２の溝部８Ｂ）が開口しているのに対し、ニック１０は２つとも円弧状切刃部５ａのすくい面２に形成されている。
【００５９】
また、主切刃５の円弧状切刃部５ａは、上述のようにニック１０を除いて主切刃５の直線状切刃部５ｂから離れるに従い着座面３側から離れた後に着座面３側に近づく凸曲線状に形成された基本形状を有しているが、主切刃５のニック１０は、この主切刃５の基本形状における円弧状切刃部５ａが着座面３に対して最も凸となる主切刃最凸点Ｓ５と重ならない位置に形成されている。
【００６０】
特に、本実施形態では、主切刃５の少なくとも１つのニック１０は、主切刃最凸点Ｓ５よりも、円弧状切刃部５ａと直線状切刃部５ｂとの接点Ｑ５とは反対の第１の端部２ａ側に配置されている。具体的には、本実施形態における２つのニック１０は、主切刃最凸点Ｓ５を間にして接点Ｑ５側と第１の端部２ａ側とに配置されている。
【００６１】
また、本実施形態では、上述のように副切刃６の円弧状切刃部６ａも、ニック１０を除いて副切刃６の直線状切刃部６ｂから離れるに従い着座面３側から離れた後に着座面３側に近づく凸曲線状に形成された基本形状を有しており、副切刃６のニック１０も、逃げ面４への開口部が、副切刃６の基本形状における円弧状切刃部６ａが着座面３に対して最も凸となる副切刃最凸点Ｓ６とは重ならない位置に配置されている。
【００６２】
特に、本実施形態では、副切刃６の２つのニック１０は、副切刃最凸点Ｓ６よりも、副切刃６の円弧状切刃部６ａと直線状切刃部６ｂとの接点Ｑ６側に配置されている。また、副切刃６の逃げ面４に開口する溝部８（第１、第２の溝部８Ａ、８Ｂ）は、副切刃最凸点Ｓ６よりも、副切刃６の円弧状切刃部６ａと直線状切刃部６ｂとの接点Ｑ６側に開口しており、第１の溝部８Ａは接点Ｑ６を越えて、すくい面２の第２の端部２ｂ側に開口している。
【００６３】
さらに、副切刃６の少なくとも１つのニック１０は、逃げ面４への開口部において、副切刃最凸点Ｓ６と、副切刃６の逃げ面４に開口する溝部８との間に配置されている。ここで、本実施形態では、副切刃６の２つのニック１０のうち１つのニック１０は、副切刃最凸点Ｓ６と第２の溝部８Ｂの副切刃６の逃げ面４への開口部との間に配置され、他の１つのニック１０は上記接点Ｑ６を越えて直線状切刃部６ｂに位置し、副切刃最凸点Ｓ６と第１の溝部８Ａの副切刃６の逃げ面４への開口部との間に配置されている。
【００６４】
ここで、このような超硬合金等の硬質材料により形成された切削インサート１は、粉末冶金技術の基本的な工程に沿って製造される。すなわち、切削インサート１が超硬合金製の場合は、炭化タングステン粉末とコバルト粉末を主成分として、必要に応じてクロムやタンタル等を副成分とする顆粒状の造粒粉末を用いて、金型を用いた粉末プレス成形を行う。
【００６５】
こうして得られたプレス成形体は、適切な雰囲気と温度に制御された焼結炉内で所定の時間焼結することにより、切削インサート１となる焼結体を製造することができる。切削インサート１の基本的形状は上記金型の設計により反映され、切削インサート１の詳細形状は金型成形によって得られる。さらに、切削インサート１の刃先形状の高精度化を図るために、必要に応じて研削砥石を用いた研削加工を施すこともある。
【００６６】
このように構成された切削インサート１は、図９〜図１２に示すように第１の実施形態のエンドミル本体１１の先端部に形成されたインサート取付座１２に着脱可能に取り付けられて、本発明の刃先交換式エンドミルの第１の実施形態を構成する。この第１の実施形態の刃先交換式エンドミルは、刃先交換式ボールエンドミルである。
【００６７】
このエンドミル本体１１は鋼材等の金属材料により形成され、その先端部は、基端側が軸線Ｏを中心とした円柱状とされるとともに、先端側は軸線Ｏ上に中心を有する基端側の円柱と等しい半径の凸半球状とされている。本実施形態の刃先交換式エンドミルは、このエンドミル本体１１が軸線Ｏ回りにエンドミル回転方向Ｔに回転させられつつ該軸線Ｏに交差する方向に送り出されることにより、インサート取付座１２に取り付けられた切削インサート１によって被削材に切削加工を施す。
【００６８】
ここで、本実施形態では、エンドミル本体１１の先端部外周を切り欠くようにして２つのチップポケット１３が形成されており、これらのチップポケット１３のエンドミル回転方向Ｔを向く底面に、それぞれインサート取付座１２が周方向に間隔をあけて互いに反対側に形成されている。そして、これら２つのインサート取付座１２には、上記第１の実施形態に基づく同形同大の１種の第１、第２の切削インサート１Ａ、１Ｂがそれぞれ取り付けられる。
【００６９】
これらのインサート取付座１２は、エンドミル回転方向Ｔを向く平坦な底面１２ａと、この底面１２ａからエンドミル回転方向Ｔに延びてエンドミル本体１１の外周側を向く先端内周側の壁面１２ｂおよび先端外周側を向く後端外周側の壁面１２ｃとを備えている。壁面１２ｂ、１２ｃは、底面１２ａから離れるに従いインサート取付座１２の外側に傾斜する平面状に形成され、底面１２ａに切削インサート１の着座面３を着座させた状態で、主切刃５と副切刃６の直線状切刃部５ｂ、６ｂに連なる平面状の逃げ面４と円弧状切刃部５ａ、６ａに連なる逃げ面４の着座面３側の平面部４ａに当接可能とされている。
【００７０】
また、これらの壁面１２ｂ、１２ｃの間には、切削インサート１の湾曲した逃げ面４との接触を避けるために凹んだ凹部１２ｄが形成されている。さらに、底面１２ａには、切削インサート１の取付孔７に挿通されるクランプネジ１５がねじ込まれる図示されないネジ孔が形成されている。なお、このネジ孔の中心線は、上述のように切削インサート１の着座面３を底面１２ａに着座させて、主切刃５と副切刃６の直線状切刃部５ｂ、６ｂに連なる平面状の逃げ面４と円弧状切刃部５ａ、６ａに連なる逃げ面４の着座面３側の平面部４ａを壁面１２ｂ、１２ｃに当接させた状態で、切削インサート１の取付孔７の中心線よりも凹部１２ｄ側に僅かに偏心するようにされている。
【００７１】
これら２つのインサート取付座１２のうち第１のインサート取付座１２Ａは、図９および図１０に示すようにエンドミル本体１１の先端部を、先端側で軸線Ｏを含む範囲まで切り欠くように形成されている。この第１のインサート取付座１２Ａには、第１の切削インサート１Ａが、主切刃５の円弧状切刃部５ａを軸線Ｏ近傍から延びて該軸線Ｏ上に中心を有する凸半球上に位置させるとともに、主切刃５の直線状切刃部５ｂをこの凸半球に接する軸線Ｏを中心とした円筒面上に位置させるようにして取り付けられる。
【００７２】
従って、第１のインサート取付座１２Ａの壁面１２ｂには第１の切削インサート１Ａにおける副切刃６の直線状切刃部６ｂに連なる平面状の逃げ面４が当接させられ、壁面１２ｃには第１の切削インサート１Ａにおける副切刃６の円弧状切刃部６ａの逃げ面４の平面部４ａが当接させられる。
【００７３】
そして、この第１のインサート取付座１２Ａの底面１２ａには、第１の切削インサート１Ａの着座面３に形成された溝部８の壁面が当接可能な第１の凸部１４Ａが、上記ネジ孔と壁面１２ｃとの間に突出するとともに、エンドミル本体１１の先端部の外周面から上記凹部１２ｄに向けて該凹部１２ｄの手前にまで凹部１２ｄと間隔をあけて延びるように形成されている。従って、この第１の凸部１４Ａには、第１の切削インサート１Ａの着座面３に形成された溝部８のうち第２の溝部８Ｂが当接することになり、第１のインサート取付座１２Ａに第１の溝部８Ａが当接する凸部は形成されてはいない。
【００７４】
ここで、この第１の凸部１４Ａは、該第１の凸部１４Ａが延びる方向に直交する断面がエンドミル回転方向Ｔに偏平した略長方形状をなしており、全体が幅狭部９とされた第２の溝部８Ｂに対して、この第２の溝部８Ｂが延びる方向の上記他端側から上記一端側（エンドミル本体１１の内周側から外周側）に向かうに従い全体的に幅広となるように形成されている。
【００７５】
ただし、この第１の凸部１４Ａの幅（第１の凸部１４Ａが延びる方向に直交する方向の幅）は、第２の溝部８Ｂが延びる方向において第１の凸部１４Ａに当接する位置での幅（第２の溝部８Ｂが延びる方向に直交する方向での幅）よりも僅かに小さくされており、第１の凸部１４Ａの底面１２ａからの突出高さも第１の切削インサート１Ａの着座面３からの第２の溝部８Ｂの深さよりも僅かに小さくされている。
【００７６】
一方、２つのインサート取付座１２のうち第２のインサート取付座１２Ｂは、図１０および図１１に示すようにエンドミル本体１１の先端側で軸線Ｏから外周側に僅かに離れた位置から形成されている。この第２のインサート取付座１２Ｂには第２の切削インサート１Ｂが、その副切刃６の円弧状切刃部６ａを軸線Ｏから離れた位置から第１の切削インサート１Ａの主切刃５の円弧状切刃部５ａが位置する上記凸半球上に位置させるとともに、この副切刃６の直線状切刃部６ｂを第１の切削インサート１Ａの主切刃５の直線状切刃部５ｂが位置する上記円筒面上に位置させるようにして取り付けられる。
【００７７】
従って、第２のインサート取付座１２Ｂの壁面１２ｂには第２の切削インサート１Ｂの主切刃５の直線状切刃部５ｂに連なる平面状の逃げ面４が当接させられ、壁面１２ｃには第２の切削インサート１Ｂの主切刃５の円弧状切刃部５ａの逃げ面４の平面部４ａが当接させられる。
【００７８】
そして、この第２のインサート取付座１２Ｂの底面１２ａには、上記ネジ孔よりも先端側に第２の凸部１４Ｂが形成されるとともに、ネジ孔と壁面１２ｃとの間には第３の凸部１４Ｃが形成されている。これら第２、第３の凸部１４Ｂ、１４Ｃも、エンドミル本体１１の先端部の外周面から内周側に向かって延びて、第２の凸部１４Ｂは第２のインサート取付座１２Ｂの壁面１２ｂの手前にまで該壁面１２ｂと間隔をあけ、また第３の凸部１４Ｃは第２のインサート取付座１２Ｂの凹部１２ｄの手前にまで該凹部１２ｄと間隔をあけて形成されている。従って、第２の凸部１４Ｂには第２の切削インサート１Ｂの第２の溝部８Ｂが当接し、第３の凸部１４Ｃには第２の切削インサート１Ｂの第１の溝部８Ａが当接する。
【００７９】
また、これら第２、第３の凸部１４Ｂ、１４Ｃも、第２、第３の凸部１４Ｂ、１４Ｃが延びる方向に直交する断面がエンドミル回転方向Ｔに偏平した略長方形状をなしており、このうち第２の凸部１４Ｂは、当接する第２の切削インサート１Ｂの第２の溝部８Ｂの全体が幅狭部９とされているのに対して、この第２の溝部８Ｂが延びる方向の上記他端側から上記一端側（エンドミル本体１１の外周側から内周側）に向かうに従い全体的に幅広となるように形成されている。なお、第３の凸部１４Ｃの幅は、この第３の凸部１４Ｃが延びる方向に亙って一定である。
【００８０】
さらに、これら第２、第３の凸部１４Ｂ、１４Ｃの幅（第２、第３の凸部１４Ｂ、１４Ｃが延びる方向に直交する方向の幅）も、第２、第１の溝部８Ｂ、８Ａが延びる方向において第２、第３の凸部１４Ｂ、１４Ｃに当接する位置での幅（第２、第１の溝部８Ｂ、８Ａが延びる方向に直交する方向での幅）よりも僅かに小さくされている。また、第２のインサート取付座１２Ｂの底面１２ａからの第２、第３の凸部１４Ｂ、１４Ｃの突出高さも第２の切削インサート１Ｂの着座面３からの第２、第１の溝部８Ｂ、８Ａの深さよりも僅かに小さくされている。
【００８１】
このような第１、第２のインサート取付座１２Ａ、１２Ｂに第１、第２の切削インサート１Ａ、１Ｂが上述のように着座させられて、倒立した円錐台状の頭部を有するクランプネジ１５を取付孔７に挿通して上記ネジ孔にねじ込んでゆくと、このネジ孔の中心線が切削インサート１の取付孔７の中心線よりも凹部１２ｄ側に僅かに偏心していることから、切削インサート１は凹部１２ｄ側に押し付けられる。
【００８２】
このとき、第１のインサート取付座１２Ａにおいては、第１の切削インサート１Ａの副切刃６の直線状切刃部６ｂに連なる逃げ面４と円弧状切刃部６ａに連なる逃げ面４の平面部４ａが壁面１２ｂ、１２ｃにそれぞれ押圧される。また、第２のインサート取付座１２Ｂにおいては、第２の切削インサート１Ｂの主切刃５の直線状切刃部５ｂに連なる逃げ面４が壁面１２ｂに押圧され、主切刃５の円弧状切刃部５ａに連なる逃げ面４の平面部４ａが壁面１２ｃに押圧される。
【００８３】
そして、これとともに、第１のインサート取付座１２Ａにおいては、第１の凸部１４Ａに第１の切削インサート１Ａの第２の溝部８Ｂがエンドミル本体１１の先端側から当接する。従って、この第１の凸部１４Ａには、そのエンドミル本体１１の先端側を向く側面１４ａに第１の切削インサート１Ａの第２の溝部８Ｂにおける第２の壁面８ｂが当接し、第２の溝部８Ｂにおける第１の壁面８ａと第１の凸部１４Ａとの間には僅かな間隔があけられることになる。
【００８４】
また、第２のインサート取付座１２Ｂにおいては、第２、第３の凸部１４Ｂ、１４Ｃに第２の切削インサート１Ｂの第２、第１の溝部８Ｂ、８Ａが同じくエンドミル本体１１の先端側から当接する。従って、第２、第３の凸部１４Ｂ、１４Ｃには、そのエンドミル本体１１の先端側を向く側面１４ａに第２、第１の溝部８Ｂ、８Ａの第１の壁面８ａがそれぞれ当接し、第２、第１の溝部８Ｂ、８Ａの第２の壁面８ｂと第２、第３の凸部１４Ｂ、１４Ｃとの間には僅かな間隔があけられる。このように、第１〜第３の凸部１４Ａ〜１４Ｃに第１、第２の溝部８Ａ、８Ｂが当接することにより、切削加工時の負荷による切削インサート１のずれ動きを防止することができる。
【００８５】
このように構成される刃先交換式エンドミル（ボールエンドミル）においては、上述のように第２の切削インサート１Ｂが、その副切刃６の円弧状切刃部６ａを第１の切削インサート１Ａの主切刃５の円弧状切刃部５ａが位置する凸半球上に位置させるとともに、直線状切刃部６ｂを第１の切削インサート１Ａの主切刃５の直線状切刃部５ｂが位置する円筒面上に位置させるようにして取り付けられる。
【００８６】
そして、これら第１、第２の切削インサート１Ａ、１Ｂは、互いの主切刃５と副切刃６の円弧状切刃部５ａ、６ａの中心Ｐを一致させるとともに、これらの円弧状切刃部５ａ、６ａと直線状切刃部５ｂ、６ｂを重ね合わせて見た場合に、重ね合わされた一方の切削インサート１の主切刃５に達するニック１０と他方の切削インサート１の副切刃６に達するニック１０とが、互いに重なり合わずに、ニック１０の間に延びる切刃と重なり合うようにされている。
【００８７】
このため、エンドミル本体１１の１刃当たりの送り量を、すくい面２に対向する平面視におけるニック１０の切刃からの後退量よりも小さくすることにより、ニック１０の着座面３側に最も凹んだ位置Ｍが被削材に切り込まれることがなくなり、切屑を分断して生成することができるとともに、切削抵抗の低減を図ることができる。なお、被削材の加工面にはニック１０によって削り残された部分に突条が残されるが、この突条は、エンドミル本体が１／２回転して反対側の切削インサート１の切刃が切り込まれることにより、切削されて除去される。
【００８８】
そして、上記構成の切削インサート１および刃先交換式ボールエンドミルでは、切削インサート１において、すくい面２に形成されたニック１０の逃げ面４への開口部が、すくい面２側からの透視図において、図１４に示したように着座面３に形成された溝部８の逃げ面４への開口部とは重ならない位置に配置されている。すなわち、切刃が延びる方向において、ニック１０の逃げ面４への開口部が、溝部８の逃げ面４への開口部と重なることがない。
【００８９】
このため、ニック１０の最も凹んだ位置Ｍと着座面３との間、および溝部８の逃げ面４への開口部とすくい面２との間において、切削インサート１の肉厚を確保して強度を維持することができるので、これにより、切削加工時に切刃に大きな切削負荷が作用しても、ニック１０と溝部８との間で切削インサート１に欠損等の損傷が生じるのを防ぐことができる。従って、上記構成の切削インサート１および刃先交換式エンドミルによれば、このような大きな切削負荷が作用する切削条件下でも、長期に亙って安定した切削加工を行うことができる。
【００９０】
また、本実施形態では、溝部８の逃げ面４への開口部は、少なくとも１つのニック１０よりも円弧状切刃部５ａ、６ａにおける直線状切刃部５ｂ、６ｂとの接点Ｑ５、Ｑ６側に配置されている。このため、円弧状切刃部５ａ、６ａと直線状切刃部５ｂ、６ｂとの接点Ｑ５、Ｑ６とは反対側に配置されたニック１０によって分断されて生成された切屑が、溝部８の逃げ面４への開口部に引っ掛かって詰まりを生じたり、引っ掛かった切屑によって被削材の加工面を傷付けられたりするような事態を防止することができ、加工面の高品位の高い切削加工を安定して行うことができる。
【００９１】
さらに、本実施形態の切削インサートにおいては、溝部８のうち第２の溝部８Ｂが、この第２の溝部８Ｂが延びる方向の一端側から他端側に向かうに従い溝幅が狭くなる幅狭部９を有している。これにより、この幅狭部９の溝幅が狭くなる他端側においては切削インサート１の肉厚を確保して応力を分散し、強度の向上を図ることができる。
【００９２】
一方、逆に幅狭部９の一端側では溝幅が広くなるので、刃先交換式エンドミルのエンドミル本体１１において、上記第１の凸部１４Ａを、第２の溝部８Ｂの幅狭部９が当接する部分で、第２の溝部８Ｂが延びる方向の他端側から上記一端側に向かうに従い幅広となるように形成することにより、切削加工時の負荷に対する取付剛性を高めて切削インサート１のずれ動きを確実に防止することが可能となる。
【００９３】
また、本実施形態では、主切刃５において、ニック１０が円弧状切刃部５ａのすくい面２に形成されるとともに、少なくとも１つの溝部８（第２の溝部８Ｂ）の逃げ面４への開口部は、直線状切刃部５ｂの逃げ面４に開口している。このため、主切刃５においては、ニック１０と溝部８との逃げ面４への開口部の切刃が延びる方向の間隔を大きくすることができ、ニック１０と溝部８との間で肉厚が薄い部分が形成されて切削インサート１が損傷するのを、さらに確実に防止することができる。
【００９４】
さらに、本実施形態では、主切刃５と副切刃６との２つの切刃が、円弧状切刃部５ａ、６ａと直線状切刃部５ｂ、６ｂとをすくい面２の周方向に交互に位置させて形成されていて、特許文献１、２に記載されたような刃先交換式ボールエンドミルの切削インサートとされている。
【００９５】
そして、着座面３にも第１の溝部８Ａと第２の溝部８Ｂとの２つの溝部８が形成されており、このうち第２の溝部８Ｂは主切刃５と副切刃６の２つの切刃の逃げ面４の両方に開口する貫通溝とされる一方、第１の溝部８Ａは副切刃６の逃げ面４だけに開口する止まり溝でとされている。このため、主切刃５の逃げ面４に開口する溝部８は第２の溝部８Ｂだけとなり、ニック１０との間での切削インサート１の損傷をさらに一層確実に防ぐことができる。
【００９６】
また、本実施形態では、上述のように刃先交換式ボールエンドミルの切削インサート１とされている場合に、上記２つの切刃のうち一方は主切刃５とされるとともに他方は副切刃６とされ、主切刃５の円弧状切刃部５ａは、副切刃６の円弧状切刃部６ａに対して等しい半径で周方向の長さが長く形成されている。
【００９７】
このため、本実施形態の刃先交換式ボールエンドミルおよびエンドミル本体１１のように第１、第２の２つのインサート取付座１２Ａ、１２Ｂを形成し、同形同大の第１、第２の２つの切削インサート１Ａ、１Ｂを、第１の切削インサート１Ａは主切刃５がエンドミル本体１１の先端内周の軸線Ｏ近傍から後端外周側に延びるように、また第２の切削インサート１Ｂは副切刃６が軸線Ｏから離れた位置から後端外周側に延びるように、互いの円弧状切刃部５ａ、６ａの回転軌跡が１つの半球となるように取り付けることにより、１種類の切削インサート１で切削加工を行うことが可能となる。
【００９８】
また、本実施形態では、主切刃５の円弧状切刃部５ａは、ニック１０を除いて主切刃５の直線状切刃部５ｂから離れるに従い着座面３側から離れた後に着座面３側に近づく凸曲線状に形成された基本形状を有しており、この基本形状において円弧状切刃部５ａが着座面３に対して最も凸となる主切刃最凸点Ｓ５から徐々に被削材に切り込まれるので、切削抵抗の低減を図ることができる。
【００９９】
さらに、こうして主切刃５の円弧状切刃部５ａが主切刃最凸点Ｓ５から被削材に切り込まれる場合に、本実施形態では、主切刃５のニック１０が、この主切刃最凸点Ｓ５とは重ならない位置に形成されている。このため、このニック１０の端部から主切刃５の円弧状切刃部５ａが被削材に切り込まれるような事態を防ぐことができるので、このようなニック１０の端部から主切刃５が欠損等を生じるのも防止することができる。
【０１００】
さらにまた、このように主切刃５のニック１０を主切刃最凸点Ｓ５とは重ならない位置に形成するのに、本実施形態では、主切刃５の少なくとも１つのニック１０が、主切刃最凸点Ｓ５よりも、円弧状切刃部５ａと直線状切刃部５ｂとの接点Ｑ５とは反対の第１の端部２ａ側に配置されている。このため、主切刃５の円弧状切刃部５ａにおける主切刃最凸点Ｓ５から被削材に切り込まれて生成される切屑が伸延したり、幅広となったりしないように分断することができ、確実な切削抵抗の低減を図ることができる。
【０１０１】
また、本実施形態では、主切刃５においては、上記平面視に円弧状切刃部５ａの中心Ｐを通り直線状切刃部５ｂに平行な回転軸回りの回転軌跡の上記回転軸に沿った断面、すなわちエンドミル本体１１の軸線Ｏ回りの主切刃５の回転軌跡の軸線Ｏに沿った断面において、上記回転軸のうち円弧状切刃部５ａの中心Ｐから円弧状切刃部５ａにおける直線状切刃部５ｂとの接点Ｑ５とは反対の第１の端部２ａ側に延びる部分、すなわちエンドミル本体１１の先端側に延びる部分と、上記中心Ｐと主切刃最凸点Ｓ５とを結ぶ直線Ｌ５とが、４３°〜４７°の範囲内の角度θ５で交差している。このため、主切刃５を円弧状切刃部５ａの略中央から被削材に切り込ませることができ、切削抵抗を確実に低減することができる。
【０１０２】
すなわち、この角度θ５が４７°を上回る範囲にあったり、４３°を下回る範囲にあったりすると、主切刃最凸点Ｓ５が円弧状切刃部５ａにおける直線状切刃部５ｂとの接点Ｑ５側、あるいはこの接点Ｑ５とは反対の第１の端部２ａ側に位置しすぎてしまう。このため、主切刃５の円弧状切刃部５ａが刃先交換式ボールエンドミルの後端外周側や先端内周側から被削材に切り込まれることになり、切削抵抗を十分に低減することができなくなるおそれがある。
【０１０３】
一方、本実施形態では、副切刃６の円弧状切刃部６ａも、ニック１０を除いて副切刃６の直線状切刃部６ｂから離れるに従い着座面３側から離れた後に着座面３側に近づく凸曲線状に形成された基本形状を有しており、主切刃５と同様に副切刃６の円弧状切刃部６ａも、この基本形状において着座面３に対して最も凸となる副切刃最凸点Ｓ６から被削材に切り込まれることになるので、切削抵抗の低減を図ることができる。
【０１０４】
また、この副切刃６のニック１０も、逃げ面４への開口部が、この副切刃６の基本形状における副切刃最凸点Ｓ６とは重ならない位置に配置さられている。このため、副切刃６のニック１０においても、その端部から副切刃６の円弧状切刃部６ａが被削材に切り込まれるのを避けることができ、このようなニック１０の端部からの副切刃６の欠損等も容易に防止することができる。
【０１０５】
さらに、本実施形態では、この副切刃６のニック１０は、逃げ面４への開口部が、副切刃最凸点Ｓ６よりも副切刃６の円弧状切刃部６ａと直線状切刃部６ｂとの接点Ｑ６側に配置されている。すなわち、この副切刃６の円弧状切刃部６ａは主切刃５の円弧状切刃部５ａよりも周方向の長さが短いので、こうして副切刃６のニック１０を、主切刃の円弧状切刃部５ａとは逆に、副切刃６の円弧状切刃部６ａと直線状切刃部６ｂとの接点Ｑ６側に配置することにより、この副切刃６の円弧状切刃部６ａによって生成される切屑を略等しい幅に分断することが可能となる。
【０１０６】
さらにまた、本実施形態では、副切刃６の逃げ面４に開口する溝部８（第１、第２の溝部８Ａ、８Ｂ）は、副切刃最凸点Ｓ６よりも、副切刃６の円弧状切刃部６ａと直線状切刃部６ｂとの接点Ｑ６側に開口している。このため、上述のように副切刃最凸点Ｓ６から副切刃６が被削材に切り込まれる際に、この副切刃最凸部Ｓ６とは反対側の着座面３が、副切刃６の逃げ面４に開口する溝部８によって第２のインサート取付座１２Ｂの底面１２ａに支持されなくなるのを防ぐことができ、副切刃６の円弧状切刃部６ａにおける副切刃最凸点Ｓ６の支持剛性の向上を図ることができる。
【０１０７】
さらに、副切刃６の少なくとも１つのニック１０は、本実施形態では、逃げ面４への開口部が、副切刃最凸点Ｓ６と、副切刃６の逃げ面４に開口する溝部８（第２の溝部８Ｂ）との間に配置されている。これにより、副切刃６の副切刃最凸点Ｓ６から被削材に切り込まれて生成された切屑を、溝部８（第２の溝部８Ｂ）との間のニック１０によって直ぐに分断することができ、溝部８が開口していることによって第２のインサート取付座１２Ｂの底面１２ａに支持されていない部分の副切刃６に作用する切削負荷の軽減を図ることができる。
【０１０８】
また、本実施形態では、この副切刃６においても、平面視に副切刃６の円弧状切刃部６ａの中心Ｐを通り直線状切刃部６ｂに平行な回転軸回りの副切刃６の回転軌跡の上記回転軸に沿った断面、すなわちエンドミル本体１１の軸線Ｏ回りの副切刃６の回転軌跡の軸線Ｏに沿った断面において、上記回転軸のうち副切刃６の円弧状切刃部６ａの中心Ｐから円弧状切刃部６ａにおける直線状切刃部６ｂとの接点Ｑ６とは反対の端部側に延びる部分、すなわちエンドミル本体１１の先端側に延びる部分と、上記中心Ｐと副切刃最凸点Ｓ６とを結ぶ直線Ｌ６とが、４３°〜４７°の範囲内の角度θ６で交差している。このため、主切刃５と同様に副切刃６の円弧状切刃部６ａを、その略中央から被削材に切り込ませることができるので、切削抵抗を確実に低減することができる。
【０１０９】
すなわち、主切刃５の場合と同様に、この角度θ６が４７°を上回る範囲にあったり、４３°を下回る範囲にあったりすると、副切刃最凸点Ｓ６が円弧状切刃部６ａにおける直線状切刃部６ｂとの接点Ｑ６側や、この接点Ｑ６とは反対の第２の端部２ｂ側に位置しすぎてしまい、副切刃６の円弧状切刃部６ａが刃先交換式ボールエンドミルの後端外周側や先端内周側から被削材に切り込まれることになって、切削抵抗を十分に低減することができなくなるおそれがある。
【０１１０】
次に、図１５〜図２０は、本発明を刃先交換式ラジアスエンドミルの切削インサートに適用した場合の第２の実施形態を示すものであり、図２１〜図２５は、この第２の実施形態の切削インサートを２つ、インサート取付座に取り付けた本発明の刃先交換式エンドミルの第２の実施形態である刃先交換式ラジアスエンドミルおよびエンドミル本体の第２の実施形態を示すものであり、図２６および図２７は、この第２の実施形態の刃先交換式エンドミルにおける２つの切削インサートの位置関係を示すものである。なお、図１〜図１４に示した第１の実施形態の切削インサート１および刃先交換式エンドミルと共通する部分には同一の符号を配して説明を省略する。
【０１１１】
この第２の実施形態の切削インサート２１においては、２つの切刃２２を備えて、これらの切刃２２が円弧状切刃部２２ａと直線状切刃部２２ｂとを備えている点では第１の実施形態と共通するものの、２つの切刃２２の円弧状切刃部２２ａの周方向の長さは互いに等しく、略１／４円弧状とされるとともに、これらの円弧状切刃部２２ａの一端（図１５において取付孔７を中心として反時計回り方向側の端部）に接するようにして延びる直線状切刃部２２ｂの長さも互いに等しくされている。
【０１１２】
そして、この第２の実施形態の切削インサート２１では、円弧状切刃部２２ａの他端（図１５において取付孔７を中心として時計回り方向側の端部）にも、円弧状切刃部２２ａに接するようにして延びる他の直線状切刃部２２ｃが形成されている。これら他の直線状切刃部２２ｃの長さも互いに等しくされ、上記直線状切刃部２２ｂよりは短い長さとされている。また、他の直線状切刃部２２ｃは、すくい面２に対向する方向から見て、上記直線状切刃部２２ｂに垂直、または９０°よりも僅かに小さい角度で交差する方向に延びている。
【０１１３】
また、第２の実施形態の切削インサート２１においては、２つの切刃２２が、すくい面２に対向する方向から見て取付孔７を中心とした反時計回り方向に、上記他の直線状切刃部２２ｃと円弧状切刃部２２ａと直線状切刃部２２ｂとをすくい面２の周方向に順に位置させて形成されている。従って、切削インサート２１は、ニック１０を除いてすくい面２に対向する平面視には取付孔７を中心に１８０°回転対称形状である。また、２つの切刃２２は、本実施形態ではニック１０を除いて着座面３に平行な平面上に形成されており、第１の実施形態のような最凸点を備えてはいない。
【０１１４】
さらに、ニック１０は、２つの切刃２２において、こうして切削インサート２１を取付孔７を中心に１８０°回転させたときに重なり合わない位置に、それぞれ複数（２つ）ずつ形成されている。これら２つの切刃２２のうち、第１の切刃２２Ａ（図１５において右下側を向く切刃２２）では、複数のニック１０は、円弧状切刃部２２ａのすくい面２だけに形成されて逃げ面４に開口しており、直線状切刃部２２ｂや他の直線状切刃部２２ｃには形成されていない。
【０１１５】
また、第２の切刃２２Ｂ（図１５において左上側を向く切刃２２）では、複数（２つ）のニック１０は、１つが円弧状切刃部２２ａのすくい面２に形成され、他の一つは円弧状切刃部２２ａと直線状切刃部２２ｂとの接点の位置に形成されている。なお、第１、第２の切刃２２Ａ、２２Ｂ同士では、円弧状切刃部２２ａの周方向に沿った方向における複数のニック１０同士の間隔は、互いに略等しい。
【０１１６】
そして、この第２の実施形態においても、切削インサート２１の着座面３には、刃先交換式ラジアスエンドミルのエンドミル本体３１に形成されたインサート取付座３２の底面から突出する凸部３３に当接可能な壁面を有する溝部８が、切削インサート２１の逃げ面４に開口するように形成されており、上記ニック１０の逃げ面４への開口部は、すくい２面側からの透視図において図２７に示すように、溝部８の逃げ面４への開口部とは重ならない位置に配置されている。
【０１１７】
また、第２の実施形態においても、着座面３には２つの溝部８が形成されており、これら２つの溝部８のうち一方は２つの切刃２２Ａ、２２Ｂの逃げ面４の両方に開口する貫通溝とされるとともに、他方は１つの切刃２２Ｂの逃げ面４だけに開口する止まり溝とされている。本実施形態では、図１６において下側の第１の溝部８Ａが、上記第２の切刃２２Ｂの直線状切刃部２２ｂの逃げ面４だけに開口する止まり溝状とされるとともに、図１６において上側の第２の溝部８Ｂが、第１の切刃２２Ａの直線状切刃部２２ｂと第２の切刃２２Ｂの円弧状切刃部２２ａの逃げ面４に開口する貫通溝とされており、この第２の溝部８Ｂが、第１の切刃２２Ａの逃げ面４側の一端側から第２の切刃２２Ｂの逃げ面４側の他端側に向かうに従い溝幅が狭くなる幅狭部９とされている。
【０１１８】
上記第２の実施形態の刃先交換式エンドミル（刃先交換式ラジアスエンドミル）においても、同形同大の上述のような第２の実施形態の第１、第２の２つの切削インサート２１Ａ、２１Ｂが、エンドミル本体３１の先端部に周方向に互いに反対側に形成された２つの上記インサート取付座３２にそれぞれ着脱可能に取り付けられる。ただし、この第２の実施形態の刃先交換式エンドミルおよびエンドミル本体３１における２つのインサート取付座３２は、その底面３２ａから突出する凸部３３を除いて、エンドミル本体３１の軸線Ｏに関して１８０°回転対称に形成されている。
【０１１９】
上記２つのインサート取付座３２のうち、図２５に示す第１のインサート取付座３２Ａの底面３２ａには、エンドミル本体３１の後端側に第１の切削インサート２１Ａの第２の溝部８Ｂが当接する第１の凸部３３Ａだけが形成されている。そして、この第１のインサート取付座３２Ａには、第１の切削インサート２１Ａが、第１の切刃２２Ａの円弧状切刃部２２ａをエンドミル本体３１の先端内周側から後端外周側に延ばすようにして、クランプネジ１５により着脱可能に取り付けられる。
【０１２０】
このとき、第１の切刃２２Ａの直線状切刃部２２ｂは、軸線Ｏを中心とした円筒面上に位置するとともに、他の直線状切刃部２２ｃは、軸線Ｏに垂直な平面に配置され、またはエンドミル本体３１の内周側に向かうに従い僅かに後端側に延びるように配置される。なお、図２４および図２５に示すように、第２の実施形態の刃先交換式エンドミルおよびエンドミル本体３１では、インサート取付座３２の底面３２ａがエンドミル本体３１の後端側に向かうに従いエンドミル回転方向Ｔとは反対側に延びるように僅かに傾斜しており、これによって上述のように取り付けられた第１の切削インサート２１Ａの第１の切刃２２Ａおよび次述する第２の切削インサート２１Ｂの第２の切刃２２Ｂには正の軸方向すくい角が与えられる。
【０１２１】
また、上記２つのインサート取付座３２のうち、図２４に示す第２のインサート取付座３２Ｂの底面３２ａには、エンドミル本体３１の先端側に、第２の切削インサート２１Ｂの第２の溝部８Ｂが当接する第２の凸部３３Ｂが形成されるとともに、エンドミル本体３１の後端側には、第２の切削インサート２１Ｂの第１の溝部８Ａが当接する第３の凸部３３Ｃが形成されている。この第２のインサート取付座３２Ｂには、第２の切削インサート２１Ｂが、軸線Ｏ回りの回転軌跡において第２の切刃２２Ｂをニック１０を除いて第１の切削インサート２１Ａの第１の切刃２２Ａと一致させるようにして、着脱可能に取り付けられる。
【０１２２】
このような第２の実施形態の切削インサート２１および刃先交換式エンドミル（刃先交換式ラジアスエンドミル）においても、第１の実施形態と同様にニック１０の逃げ面４への開口部が、すくい面２側からの透視図において図２７に示したように、溝部８の逃げ面４への開口部とは重ならない位置に配置されているので、ニック１０と着座面３との間および溝部８とすくい面２との間の肉厚を確保して、切削インサート２１に大きな切削負荷が作用しても損傷が生じるのを防ぐことができる。
【０１２３】
また、第２の実施形態の切削インサート２１には、円弧状切刃部２２ａの他端に接する他の直線状切刃部２２ｃが形成されており、第２の実施形態の刃先交換式エンドミルにおいては、この他の直線状切刃部２２ｃが軸線Ｏに垂直な平面に配置され、またはエンドミル本体３１の内周側に向かうに従い僅かに後端側に延びるように配置される。このため、エンドミル本体３１の送りを高めても、他の直線状切刃部２２ｃをサライ刃として作用させて被削材の加工面の底面を平滑に仕上げることができる。
【０１２４】
なお、図２８および図２９に示すのは、この第２の実施形態の切削インサート２１および刃先交換式エンドミルの変形例を示すものであり、図１５〜図２７に示した第２の実施形態と共通する部分には同一の符号を配してある。この変形例では、２つの溝部８のうち第２の溝部８Ｂにおいて、すくい面２の第２の端部２ｂ側を向く第２の壁面８ｂに、この第２の壁面８ｂからすくい面２の第１の端部２ａ側に凹む凹部８ｄが形成されている点が第２の実施形態と異なっている。
【０１２５】
上記凹部８ｄは、着座面３に対向する方向から見て、第２の溝部８Ｂが延びる方向に延びる長方形状または台形状に形成されており、この変形例では、第２の溝部８Ｂが延びる方向に間隔をあけて複数（２つ）形成されている。なお、この変形例の切削インサート２１において、すくい面２や切刃２２、ニック１０は第２の実施形態と同様に形成されている。
【０１２６】
このような変形例の切削インサート２１では、第１の切削インサート２１Ａにおいて第１のインサート取付座３２Ａの第１の凸部３３Ａに当接する第２の溝部８Ｂの第２の壁面８ｂに、このような凹部８ｄが形成されているので、溝部８（第２の溝部８Ｂ）の壁面（第２の壁面８ｂ）を研削工具によって成形する際に凹部８ｄに研削工具を逃がすことができ、溝部８の成形が容易となる。なお、この変形例では凹部８ｄが２つであるが、１つでもよく、また３つ以上であってもよい。また、着座面３に対向する方向から見たときの凹部８ｄの形状は、上述のような長方形状または台形状の他に、丸や半円状、半長円状などでもよい。
【符号の説明】
【０１２７】
１（１Ａ、１Ｂ）、２１（２１Ａ、２１Ｂ）  切削インサート
２  すくい面
３  着座面
４  逃げ面
５  主切刃
５ａ  主切刃５の円弧状切刃部
５ｂ  主切刃５の直線状切刃部
６  副切刃
６ａ  副切刃６の円弧状切刃部
６ｂ  副切刃６の直線状切刃部
７  取付孔
８（８Ａ、８Ｂ）  溝部
９  幅狭部
１０  ニック
１１、３１  エンドミル本体
１２（１２Ａ、１２Ｂ）、３２（３２Ａ、３２Ｂ）  インサート取付座
１４Ａ、１４Ｂ、１４Ｃ、３３Ａ、３３Ｂ、３３Ｃ  凸部
２２（２２Ａ、２２Ｂ）  切刃
２２ａ  円弧状切刃部
２２ｂ  直線状切刃部
２２ｃ  他の直線状切刃部
Ｍ  ニック１０の着座面３側に最も凹んだ位置
Ｐ  主切刃５と副切刃６の円弧状切刃部５ａ、６ａがなす円弧の中心
Ｑ５  主切刃５の円弧状切刃部５ａと直線状切刃部５ｂとの接点
Ｑ６  副切刃６の円弧状切刃部６ａと直線状切刃部６ｂとの接点
Ｓ５  主切刃最凸点
Ｓ６  副切刃最凸点
Ｌ５  中心Ｐと主切刃最凸点Ｓ５とを結ぶ直線
Ｌ６  中心Ｐと副切刃最凸点Ｓ６とを結ぶ直線
θ５  主切刃５の円弧状切刃部５ａの中心Ｐを通り、直線状切刃部５ｂに平行な回転軸回りの主切刃５の回転軌跡の回転軸に沿った断面における中心Ｐから接点Ｑ５とは反対の端部側に延びる部分と直線Ｌ５とが交差する角度
θ６  副切刃６の円弧状切刃部６ａの中心Ｐを通り、直線状切刃部６ｂに平行な回転軸回りの副切刃６の回転軌跡の回転軸に沿った断面における中心Ｐから接点Ｑ６とは反対の端部側に延びる部分と直線Ｌ６とが交差する角度
Ｏ  エンドミル本体１１の軸線
Ｔ  エンドミル回転方向
【図１】
2020127992.tif 000003
【図２】
2020127992.tif 000004
【図３】
2020127992.tif 000005
【図４】
2020127992.tif 000006
【図５】
2020127992.tif 000007
【図６】
2020127992.tif 000008
【図７】
2020127992.tif 000009
【図８】
2020127992.tif 000010
【図９】
2020127992.tif 000011
【図１０】
2020127992.tif 000012
【図１１】
2020127992.tif 000013
【図１２】
2020127992.tif 000014
【図１３】
2020127992.tif 000015
【図１４】
2020127992.tif 000016
【図１５】
2020127992.tif 000017
【図１６】
2020127992.tif 000018
【図１７】
2020127992.tif 000019
【図１８】
2020127992.tif 000020
【図１９】
2020127992.tif 000021
【図２０】
2020127992.tif 000022
【図２１】
2020127992.tif 000023
【図２２】
2020127992.tif 000024
【図２３】
2020127992.tif 000025
【図２４】
2020127992.tif 000026
【図２５】
2020127992.tif 000027
【図２６】
2020127992.tif 000028
【図２７】
2020127992.tif 000029
【図２８】
2020127992.tif 000030
【図２９】
2020127992.tif 000031